(57)【要約】【課題】シート体に取り付けられた物品が、物品付シート体の移動に伴ってシート体が有する孔内での位置を変えることを抑制可能としたシート体、および、物品付シート体を提供する。【解決手段】間隙を有した物品を収容するシート体１０であって、シート体１０は、孔１１を備える。孔１１は、物品の外形に追従した形状を有する追従縁部１１Ａと、物品の外形よりも孔１１の内側に突出する突出縁部１１Ｂと、によって区切られる。突出縁部１１Ｂが間隙に侵入することによって物品が保持される。【選択図】図１
0003218067.tif 000002
【実用新案登録請求の範囲】
【請求項１】
間隙を有した物品を収容するシート体であって、
前記シート体は、孔を備え、
前記孔は、
前記物品の外形に追従した形状を有する追従縁部と、
前記物品の外形よりも前記孔の内側に突出する突出縁部と、によって区切られ、
前記突出縁部が前記間隙に侵入することによって前記物品が保持される
シート体。
【請求項２】
前記突出縁部は、２つの前記突出縁部のうちの一方であり、
前記２つの突出縁部は、第１突出縁部と第２突出縁部とであり、
前記シート体の表面と対向する平面視において、前記第１突出縁部は、前記第２突出縁部から離れ、かつ、前記第２突出縁部と対向している
請求項１に記載のシート体。
【請求項３】
前記孔は、長手方向に沿って延びる形状を有し、
前記長手方向において、前記第２突出縁部の長さは、前記第１突出縁部の長さよりも短い
請求項２に記載のシート体。
【請求項４】
前記シート体は、
前記第１突出縁部によって区画された第１突出片と、
前記第２突出縁部によって区画された第２突出片と、を備え、
前記第１突出片および前記第２突出片の少なくとも一方が、突出片であり、
前記表面と対向する平面視において、前記突出片は、前記孔の内側に突出した２つの角部を含む矩形状を有し、
前記角部の少なくとも一方は、曲率中心が前記突出片の内側に位置する曲率を有する
請求項２または３に記載のシート体。
【請求項５】
前記第１突出縁部および前記第２突出縁部の少なくとも一方は、
前記表面と対向する平面視において、円弧状を有する
請求項２または３に記載のシート体。
【請求項６】
請求項１から５のいずれか一項に記載のシート体と、
前記シート体に保持された物品と、を備える
物品付シート体。
【考案の詳細な説明】
【技術分野】
【０００１】
本考案は、シート体、および、物品付シート体に関する。
【背景技術】
【０００２】
環状のホースバンドを保持する保持体は、例えば段ボールなどによって形成された板部材である。保持体は、ホースバンドを保持するための保持孔を有する。保持体の表面と対向する平面視において、保持孔は、台形状を有する第１領域と、逆台形状を有する第２領域とから構成されている。保持孔は、第１領域の上底と第２領域の下底とが接続された形状を有する。言い換えれば、保持体は、保持孔を区画する縁を構成する第１突出部と第２突出部とを有する。保持体の表面と対向する平面視において、第１突出部の先端と第２突出部の先端とが互いに対向し、かつ、第１突出部の先端と第２突出部の先端とが、第１領域と第２領域との接続部を挟んでいる。保持孔は、第１突出部の先端と第２突出部の先端との間の距離が、ホースバンドの幅よりも狭いことによって、ホースバンドの取り外しが可能な状態でホースバンドを保持している（例えば、特許文献１を参照）。
【先行技術文献】
【特許文献】
【０００３】
【特許文献１】実開昭５７−１９０７７３号公報
【考案の概要】
【考案が解決しようとする課題】
【０００４】
ところで、保持体の表面と対向する平面視において、第１突出部の先端と第２突出部の先端との間の距離は、ホースバンドの幅よりも小さい。一方で、保持体の表面と対向する平面視において、保持孔の縁のなかで、第１領域の下底を区画する部位の長さと、第２領域の上底を区画する部位の長さとは、ホースバンドの幅よりも大きい。そのため、ホースバンドには、第１突出部の先端と第２突出部の先端とが並ぶ方向において、保持孔内での位置の変更が許容される。それゆえに、ホースバンドを保持した保持体の搬送などによって保持体が移動した場合に、ホースバンドが保持孔内での位置を変えることによって、保持孔の形状が変わったり、ホースバンドが保持孔から外れたりすることがある。
【０００５】
本考案は、シート体に取り付けられた物品が、物品付シート体の移動に伴ってシート体が有する孔内での位置を変えることを抑制可能としたシート体、および、物品付シート体を提供することを目的とする。
【課題を解決するための手段】
【０００６】
上記課題を解決するためのシート体は、間隙を有した物品を収容するシート体である。前記シート体は、孔を備える。前記孔は、前記物品の外形に追従した形状を有する追従縁部と、前記物品の外形よりも前記孔の内側に突出する突出縁部と、によって区切られる。前記突出縁部が前記間隙に侵入することによって前記物品が保持される。
【０００７】
上記課題を解決するための物品付シート体は、上記シート体と、前記シート体に保持された物品と、を備える。上記各構成によれば、シート体の孔に嵌め込まれた物品は、物品の間隙に侵入する突出縁部によって支持され、かつ、追従縁部によって物品の外形に沿って囲まれる。そのため、孔の縁によって区画される空間が、物品の外形における全体において外形よりも大きい場合と比べて、孔内における物品の位置が変わることが抑えられる。
【０００８】
上記シート体において、前記突出縁部は、２つの前記突出縁部のうちの一方であり、前記２つの突出縁部は、第１突出縁部と第２突出縁部とであり、前記シート体の表面と対向する平面視において、前記第１突出縁部は、前記第２突出縁部から離れ、かつ、前記第２突出縁部と対向してもよい。
【０００９】
上記構成によれば、第１突出縁部と第２突出縁部とが対向する方向において、物品の両側から突出縁部が物品の間隙に侵入するため、孔内において物品の位置が変わることがより抑えられる。
【００１０】
上記シート体において、前記孔は、長手方向に沿って延びる形状を有し、前記長手方向において、前記第２突出縁部の長さは、前記第１突出縁部の長さよりも短くてもよい。上記構成によれば、孔の縁が、長手方向において、相対的に大きい第１突出縁部と、相対的に小さい第２突出縁部とを含む。そのため、長手方向において、第１突出縁部の大きさと第２突出縁部の大きさとが互いに等しい場合に比べて、第１突出縁部によって、孔内における物品の移動を抑える効果を高めつつ、第２突出縁部によって、孔に対して物品を取り付ける作業の容易性を高めることができる。
【００１１】
上記シート体において、前記シート体は、前記第１突出縁部によって区画された第１突出片と、前記第２突出縁部によって区画された第２突出片と、を備え、前記第１突出片および前記第２突出片の少なくとも一方が、突出片であり、前記表面と対向する平面視において、前記突出片は、前記孔の内側に突出した２つの角部を含む矩形状を有し、前記角部の少なくとも一方は、曲率中心が前記突出片の内側に位置する曲率を有してもよい。
【００１２】
突出片が物品の間隙に差し込まれるときには、まず、突出片における一方の角部が間隙内に差し込まれた後に、２つの角部によって挟まれた縁部が間隙内に差し込まれる。この際に、シート体の厚さ方向における突出片の厚さと、間隙の大きさとの差が小さいほど、間隙に対する突出片の差し込みが難しくなる。また、シート体の厚さ方向における突出片の厚さと、間隙の大きさとの差が小さいほど、角部が鋭角である場合に、角部が物品において間隙を区画する部位に引っかかりやすくもなる。この点で、上記構成によれば、突出片のなかで最初に差し込まれる角部が曲率を有するため、角部が鋭角である場合と比べて、シート体の厚さ方向における突出片の厚さと、間隙の大きさとの差が小さくなっても、角部が物品に引っかかりにくい。それゆえに、間隙に対して突出片が差し込みにくくなることが抑えられる。
【００１３】
上記シート体において、前記第１突出縁部および前記第２突出縁部の少なくとも一方は、前記表面と対向する平面視において、円弧状を有してもよい。上記構成によれば、第１突出縁部および第２突出縁部の少なくとも一方が円弧状を有するため、円弧状を有した突出縁部では、突出縁部が鋭角な角部を有する場合と比べて、シート体の厚さと、シート体の厚さ方向における間隙の大きさとの差に関わらず、間隙に対して突出縁部が差し込みにくくなることが抑えられる。
【考案の効果】
【００１４】
本考案によれば、シート体に取り付けられた物品が、物品付シート体の移動に伴ってシート体が有する孔内での位置を変えることを抑えることができる。
【図面の簡単な説明】
【００１５】
【図１】一実施形態におけるシート体の構造を示す平面図。
【図２】一実施形態におけるシート体の構造における各部の寸法を示す平面図。
【図３】一実施形態における樹脂固定具の構造を示す斜視図。
【図４】シート体に樹脂固定具を固定する工程を示す工程図。
【図５】シート体に樹脂固定具を固定する工程を示す工程図。
【図６】シート体の表面と対向する平面視における樹脂固定具付シート体の構造を示す平面図。
【考案を実施するための形態】
【００１６】
図１から図６を参照して、シート体および物品付シート体の一実施形態を説明する。以下では、シート体の構成、物品の一例である樹脂固定具の構成、および、シート体に対して樹脂固定具を取り付ける取付工程を順に説明する。
【００１７】
［シート体の構成］
図１および図２を参照して、シート体の構成を説明する。
図１が示すように、シート体１０は、間隙を有した物品を収容するシート体である。シート体１０は、孔１１を備える。孔１１は、物品の外形に追従した形状を有する追従縁部１１Ａと、物品の外形よりも孔１１の内側に突出する突出縁部１１Ｂと、によって区切られる。突出縁部１１Ｂが間隙に侵入することによって物品がシート体１０に保持される。
【００１８】
シート体１０の孔１１に嵌め込まれた物品は、物品の間隙に侵入する突出縁部１１Ｂによって支持され、かつ、追従縁部１１Ａによって物品の外形に沿って囲まれる。そのため、孔１１の縁によって区画される空間が、物品の外形における全体において外形よりも大きい場合と比べて、孔１１内における物品の位置が変わることが抑えられる。
【００１９】
シート体１０は、表面１０Ｆと、シート体１０において表面１０Ｆと対向する裏面１０Ｒとを有する。シート体１０は、例えば、紙によって形成された板部材でもよいし、合成樹脂によって形成された板部材でもよい。孔１１は、表面１０Ｆと裏面１０Ｒとの間を貫通する。本実施形態において、シート体１０は１つの孔１１のみを有するが、シート体１０は、２つ以上の孔１１を備えてよい。
【００２０】
孔１１は、２つの突出縁部１１Ｂを含む。２つの突出縁部１１Ｂは、第１突出縁部１１Ｂ１と第２突出縁部１１Ｂ２とである。シート体１０の表面１０Ｆと対向する平面視において、第１突出縁部１１Ｂ１は、第２突出縁部１１Ｂ２から離れ、かつ、第２突出縁部１１Ｂ２と対向している。第１突出縁部１１Ｂ１と第２突出縁部１１Ｂ２とが対向する方向において、物品の両側から突出縁部１１Ｂが物品の間隙に侵入するため、孔１１内において物品の位置が変わることがより抑えられる。
【００２１】
シート体１０の表面１０Ｆに沿う方向において、孔１１が延びる方向が長手方向ＤＬであり、かつ、長手方向ＤＬと直交する方向が短手方向ＤＴである。第１突出縁部１１Ｂ１および第２突出縁部１１Ｂ２は、長手方向ＤＬにおける孔１１の中心部を含む位置に配置されている。短手方向ＤＴは、第１突出縁部１１Ｂ１と第２突出縁部１１Ｂ２とが並ぶ方向でもある。短手方向ＤＴにおいて、第２突出縁部１１Ｂ２の全体が、第１突出縁部１１Ｂ１の一部と対向している。
【００２２】
上述したように、孔１１は、長手方向ＤＬに沿って延びる形状を有している。長手方向ＤＬにおいて、第２突出縁部１１Ｂ２の長さは、第１突出縁部１１Ｂ１の長さよりも短い。孔１１の縁が、長手方向ＤＬにおいて、相対的に大きい第１突出縁部１１Ｂ１と、相対的に小さい第２突出縁部１１Ｂ２とを含む。そのため、長手方向において、第１突出縁部１１Ｂ１の大きさと第２突出縁部１１Ｂ２の大きさとが互いに等しい場合に比べて、第１突出縁部１１Ｂ１によって、孔１１内における物品の移動を抑える効果を高めつつ、第２突出縁部１１Ｂ２によって、孔１１に対して物品を取り付ける作業の容易性を高めることができる。
【００２３】
短手方向ＤＴにおいて、第１突出縁部１１Ｂ１の幅は、第２突出縁部１１Ｂ２の幅よりも大きい。そのため、短手方向ＤＴにおいて、第１突出縁部１１Ｂ１の幅と第２突出縁部１１Ｂ２の幅とが互いに等しい場合に比べて、第１突出縁部１１Ｂ１によって、孔１１内における物品の移動を抑える効果を高めつつ、第２突出縁部１１Ｂ２によって、孔１１に対して物品を取り付ける作業の容易性を高めることができる。
【００２４】
シート体１０は、第１突出片１２Ａと、第２突出片１２Ｂとを備えている。第１突出片１２Ａは、第１突出縁部１１Ｂ１によって区画されている。第２突出片１２Ｂは、第２突出縁部１１Ｂ２によって区画されている。
【００２５】
第１突出片１２Ａは、表面１０Ｆと対向する平面視において、孔１１の内側に突出した２つの角部１２ＡＣを含む矩形状を有する。各角部１２ＡＣは、曲率中心が第１突出片１２Ａの内側に位置する曲率を有する。第２突出片１２Ｂは、表面１０Ｆと対向する平面視において、孔１１の内側に突出した２つの角部１２ＢＣを含む矩形状を有する。各角部１２ＢＣは、曲率中心が第２突出片１２Ｂの内側に位置する曲率を有する。
【００２６】
各突出片１２Ａ，１２Ｂが物品の間隙に差し込まれるときには、まず、各突出片１２Ａ，１２Ｂにおける一方の角部１２ＡＣ，１２ＢＣが間隙内に差し込まれた後に、２つの角部１２ＡＣ，１２ＢＣによって挟まれた縁部が間隙内に差し込まれる。この際に、シート体１０の厚さ方向における各突出片１２Ａ，１２Ｂの厚さと、間隙の大きさとの差が小さいほど、間隙に対する各突出片１２Ａ，１２Ｂの差し込みが難しくなる。
【００２７】
また、シート体１０の厚さ方向における各突出片１２Ａ，１２Ｂの厚さと、間隙の大きさとの差が小さいほど、角部１２ＡＣ，１２ＢＣが鋭角である場合に、角部１２ＡＣ，１２ＢＣが、物品において間隙を区画する部位に引っかかりやすくもなる。上述したように、各突出片１２Ａ，１２Ｂのなかで最初に差し込まれる角部１２ＡＣ，１２ＢＣが曲率を有する。そのため、角部が鋭角である場合と比べて、シート体１０の厚さ方向における各突出片１２Ａ，１２Ｂの厚さと、間隙の大きさとの差が小さくなっても、角部１２ＡＣ，１２ＢＣが物品に引っかかりにくいため、間隙に対して各突出片１２Ａ，１２Ｂが差し込みにくくなることが抑えられる。
【００２８】
言い換えれば、各突出片１２Ａ，１２Ｂの角部１２ＡＣ，１２ＢＣが曲率を有することによって、シート体１０の厚さ方向における各突出片１２Ａ，１２Ｂの厚さと、間隙の大きさとが小さくなることに伴って、間隙に対して各突出片１２Ａ，１２Ｂが差し込みにくくなることが緩和される。
【００２９】
各突出片１２Ａ，１２Ｂにおいて、２つの角部１２ＡＣ，１２ＢＣは、互いに等しい曲率を有する。なお、各突出片１２Ａ，１２Ｂにおいて、２つの角部１２ＡＣ，１２ＢＣの曲率は、互いに異なってもよい。第１突出片１２Ａの角部１２ＡＣにおける曲率と、第２突出片１２Ｂの角部１２ＢＣにおける曲率は、互いに等しくてもよいし、互いに異なってもよい。
【００３０】
上述したように、各突出片１２Ａ，１２Ｂの角部１２ＡＣ，１２ＢＣが曲率を有することによって、角部１２ＡＣ，１２ＢＣが物品に引っかかりにくくなる。そのため、シート体１０が紙製である場合には、角部１２ＡＣ，１２ＢＣがほつれにくくなる。また、シート体１０が樹脂製である場合には、角部１２ＡＣ，１２ＢＣが曲がりにくくなる。
【００３１】
図２が示すように、孔１１において、長手方向ＤＬに沿う長さが孔長さＬ１１であり、短手方向ＤＴに沿う幅が孔幅Ｗ１１である。第１突出片１２Ａにおいて、長手方向ＤＬに沿う長さが第１突出長さＬ１２Ａであり、短手方向ＤＴに沿う幅が第１突出幅Ｗ１２Ａである。第２突出片１２Ｂにおいて、長手方向ＤＬに沿う長さが第２突出長さＬ１２Ｂであり、短手方向ＤＴに沿う幅が第２突出幅Ｗ１２Ｂである。
【００３２】
孔長さＬ１１に対する第１突出長さＬ１２Ａの第１百分率（Ｌ１２Ａ／Ｌ１１×１００）は、５５％以上８０％以下であることが好ましく、６５％以上７５％以下であることがより好ましい。孔幅Ｗ１１に対する第１突出幅Ｗ１２Ａの第２百分率（Ｗ１２Ａ／Ｗ１１×１００）は、３５％以上６０％以下であることが好ましく、４０％以上５５％以下であることがより好ましい。孔長さＬ１１に対する第２突出長さＬ１２Ｂの第３百分率（Ｌ１２Ｂ／Ｌ１１×１００）は、１０％以上３０％以下であることが好ましく、１２％以上２５％以下であることがより好ましい。孔幅Ｗ１１に対する第２突出幅Ｗ１２Ｂの第４百分率（Ｗ１２Ｂ／Ｗ１１×１００）は、５％以上３０％以下であることが好ましく、１０％以上２０％以下であることがより好ましい。
【００３３】
第１突出片１２Ａにおいて、第１百分率が５５％以上であることによって、また、第２百分率が３５％以上であることによって、物品付シート体の搬送などに伴って、物品付シート体に与えられる振動のせいで第１突出片１２Ａが物品の間隙から飛び出すことが抑えられる。また、第１百分率が８０％以下であることによって、また、第２百分率が６０％以下であることによって、第１突出片１２Ａを物品の間隙に侵入させにくくなることが抑えられる。
【００３４】
第２突出片１２Ｂにおいて、第３百分率が１０％以上であることによって、また、第４百分率が５％以上であることによって、物品付シート体の搬送などに伴って、物品付シート体に与えられる振動のせいで第２突出片１２Ｂが物品の間隙から飛び出すことが抑えられる。また、第３百分率が３０％以下であることによって、また、第４百分率が３０％以下であることによって、第２突出片１２Ｂを物品の間隙に侵入させにくくなることが抑えられる。
【００３５】
また、第１百分率、第２百分率、第３百分率、および、第４百分率が上述した範囲を満たすことによって、物品の間隙に第１突出片１２Ａが侵入した状態で第２突出片を間隙に侵入させること、または、間隙に第２突出片１２Ｂが侵入した状態で第１突出片を間隙に侵入させることが容易になる。
【００３６】
［樹脂固定具の構成］
図３を参照して、シート体１０に保持される物品の一例である樹脂固定具の構成を説明する。
【００３７】
図３が示すように、樹脂固定具２０は、基体片２１と係止片２２とを備えている。係止片２２は、ヒンジ部２３において基体片２１に接続されている。基体片２１と係止片２２とは、それぞれ１つの方向に沿って延びる板状である。基体片２１は、ヒンジ部２３とは反対側の端部に爪受け部２１Ａを備えている。係止片２２は、ヒンジ部２３とは反対側の端部に、図示されない係止爪を備えている。係止片２２の係止爪が基体片２１の爪受け部２１Ａに係止されることによって、樹脂固定具２０は、基体片２１と係止片２２との間に間隙２０Ｇを有する。
【００３８】
係止片２２の係止爪が爪受け部２１Ａに係止されているときに、樹脂固定具２０は閉状態である。係止片２２の係止爪が爪受け部２１Ａに係止されていないときに、樹脂固定具２０は開状態である。樹脂固定具２０が閉状態であるときに、基体片２１と係止片２２とが重なる方向から見て、樹脂固定具２０の外形は、略矩形状である。そのため、上述したシート体１０の孔１１において、樹脂固定具２０の外形に追従する追従縁部１１Ａは、略矩形状に追従する形状を有している。
【００３９】
樹脂固定具２０が有する間隙２０Ｇは、１つの平面に沿って広がる空間である。言い換えれば、板状の基体片２１と板状の係止片２２とによって挟まれた空間である。そのため、樹脂固定具２０がシート体１０に取り付けられたときには、樹脂固定具２０の間隙２０Ｇに、シート体１０が広がる平面に沿う第１突出片１２Ａと第２突出片１２Ｂとが侵入する。そのため、樹脂固定具２０の間隙２０Ｇが、例えば円筒面によって形成された空間である場合に比べて、シート体１０に取り付けられた樹脂固定具２０の孔１１内における位置が変わることがより抑えられる。
【００４０】
樹脂固定具２０が使用されるときには、まず、係止片２２の係止爪が、基体片２１の爪受け部２１Ａから外される。そして、基体片２１における係止片２２に面する内面と、係止片２２における基体片２１に面する内面との間に、樹脂固定具２０の取付対象を挟んだ状態で、係止爪を爪受け部２１Ａに係止させる。これによって、取付対象に樹脂固定具２０を取り付けることができる。
【００４１】
［樹脂固定具の取付工程］
図４から図６を参照して、樹脂固定具の取付工程を説明する。
図４が示すように、シート体１０に樹脂固定具２０を取り付けるときには、まず、樹脂固定具２０の間隙２０Ｇに第１突出片１２Ａを差し込む。上述したように、樹脂固定具２０の間隙２０Ｇも１つの平面に沿って広がる空間であり、かつ、第１突出片１２Ａもシート体１０が広がる平面に沿う形状を有するため、シート体１０の変形を抑えつつ、樹脂固定具２０の間隙２０Ｇに第１突出片１２Ａを差し込むことができる。特に、第１突出片１２Ａの基端が、シート体１０が広がる平面に対して折れ曲がることが抑えられる。
【００４２】
図５が示すように、第１突出片１２Ａと第２突出片１２Ｂとが並ぶ方向において、樹脂固定具２０の間隙２０Ｇのうち、第１突出片１２Ａが差し込まれた領域とは反対側の領域に、第２突出片１２Ｂを差し込む。上述したように、第２突出片１２Ｂは、長手方向ＤＬおよび短手方向ＤＴの両方において、第１突出片１２Ａよりも小さい。そのため、第１突出片１２Ａを間隙２０Ｇに差し込んだ状態で、第２突出片１２Ｂを間隙２０Ｇに差し込んでも、シート体１０が変形することが抑えられる。
【００４３】
図６が示すように、シート体１０に樹脂固定具２０を取り付けることによって、シート体１０と、シート体１０に保持された樹脂固定具２０とを備える樹脂固定具付シート体３０を得ることができる。本実施形態のシート体１０では、孔１１の縁のなかで、第１突出縁部１１Ｂ１および第２突出縁部１１Ｂ２以外の部位は全て追従縁部１１Ａである。そのため、各突出縁部１１Ｂでは、突出縁部１１Ｂが間隙２０Ｇ内に侵入することによって、孔１１内での樹脂固定具２０の移動を抑え、かつ、追従縁部１１Ａが、樹脂固定具２０を外形に沿って囲むことによって、孔１１内での樹脂固定具２０の移動を抑える。それゆえに、シート体１０によれば、シート体１０に取り付けられた樹脂固定具２０の孔１１内における位置が変わることが抑えられる。
【００４４】
また、上述したように、シート体１０は、相対的に大きい第１突出片１２Ａと、相対的に小さい第２突出片１２Ｂとを備えるため、樹脂固定具２０の係止片２２が基体片２１に係止された状態で、樹脂固定具２０をシート体１０に取り付けることが可能である。そのため、係止片２２を爪受け部２１Ａから取り外した状態で樹脂固定具２０を孔１１に嵌め込み、その後に係止片２２を爪受け部２１Ａに係止する場合と比べて、シート体１０に樹脂固定具２０を取り付ける作業が容易である。
【００４５】
以上説明したように、シート体および物品付シート体の一実施形態によれば、以下に記載の効果を得ることができる。
（１）シート体１０の孔１１に嵌め込まれた樹脂固定具２０は、樹脂固定具２０の間隙２０Ｇに侵入する突出縁部１１Ｂによって支持され、かつ、追従縁部１１Ａによって外形に沿って囲まれる。そのため、孔１１の縁によって区画される空間が、樹脂固定具２０の外形における全体において外形よりも大きい場合と比べて、孔１１内における樹脂固定具２０の位置が変わることが抑えられる。
【００４６】
（２）第１突出縁部１１Ｂ１と第２突出縁部１１Ｂ２とが対向する方向において、樹脂固定具２０の両側から突出縁部１１Ｂが樹脂固定具２０の間隙２０Ｇに侵入するため、孔１１内において樹脂固定具２０の位置が変わることがより抑えられる。
【００４７】
（３）孔１１の縁が、長手方向ＤＬにおいて、相対的に大きい第１突出縁部１１Ｂ１と、相対的に小さい第２突出縁部１１Ｂ２とを含む。そのため、第１突出縁部１１Ｂ１によって、孔１１内における樹脂固定具２０の移動を抑える効果を高めつつ、第２突出縁部１１Ｂ２によって、孔１１に対して樹脂固定具２０を取り付ける作業の容易性を高めることができる。
【００４８】
（４）突出片１２Ａ，１２Ｂのなかで最初に差し込まれる角部１２ＡＣ，１２ＢＣが曲率を有する。そのため、角部が鋭角である場合と比べて、シート体１０の厚さ方向における突出片１２Ａ，１２Ｂの厚さと、間隙２０Ｇの大きさとの差が小さくなっても、角部１２ＡＣ，１２ＢＣが樹脂固定具２０に引っかかりにくい。これにより、間隙２０Ｇに対して突出片１２Ａ，１２Ｂが差し込みにくくなることが抑えられる。
【００４９】
なお、上述した実施形態は、以下のように変更して実施することができる。
［突出縁部］
・第１突出縁部１１Ｂ１および第２突出縁部１１Ｂ２の少なくとも一方は、表面１０Ｆと対向する平面視において、円弧状を有してもよい。この場合には、以下に記載の効果を得ることができる。
【００５０】
（５）第１突出縁部１１Ｂ１および第２突出縁部１１Ｂ２の少なくとも一方が円弧状を有する。そのため、円弧状を有した突出縁部１１Ｂでは、突出縁部が鋭角な角部を有する場合と比べて、シート体１０の厚さと、シート体１０の厚さ方向における間隙２０Ｇの大きさとの差が小さくなっても、突出縁部１１Ｂが樹脂固定具２０に引っかかりにくいため、間隙２０Ｇに対して突出縁部１１Ｂが差し込みにくくなることが抑えられる。
【００５１】
・短手方向ＤＴにおいて、第２突出縁部１１Ｂ２の一部のみが、第１突出縁部１１Ｂ１の一部に対向してもよい。この場合であっても、上述した（２）に準じた効果を得ることはできる。
【００５２】
・短手方向ＤＴにおいて、第１突出縁部１１Ｂ１と第２突出縁部１１Ｂ２とは対向していなくてもよい。例えば、第１突出縁部１１Ｂ１と第２突出縁部１１Ｂ２とは、孔１１の縁のなかで、短手方向ＤＴから見て互いに対向する縁部に１つずつ位置し、かつ、短手方向ＤＴから見て重ならなくてもよい。この場合であっても、孔１１の縁が、追従縁部１１Ａと突出縁部１１Ｂとを含むため、上述した（１）に準じた効果を得ることはできる。また、孔１１の縁が、２つの突出縁部１１Ｂを有するため、孔１１が１つの突出縁部１１Ｂのみを有する場合と比べて、樹脂固定具２０がシート体１０に対して強固に固定されるため、孔１１内において樹脂固定具２０の位置が変わることがより抑えられる。
【００５３】
・突出縁部１１Ｂは、長手方向ＤＬにおける孔１１の中央部を含まないように、孔１１の縁に配置されてもよい。樹脂固定具２０がシート体１０に取り付けられる場合に、長手方向ＤＬにおける樹脂固定具２０の中央部が摘ままれることがある。しかも、樹脂固定具２０の中央部が、基体片２１と係止片２２とが対向する方向において２本の指で挟まれた場合には、樹脂固定具２０の間隙２０Ｇのなかで、長手方向ＤＬの中央部において、基体片２１と係止片２２とが対向する方向における大きさが、他の部位よりも小さくなることがある。この場合には、突出縁部１１Ｂが、長手方向ＤＬにおける孔１１の中央部を含まないように縁に配置されることによって、突出縁部１１Ｂが間隙２０Ｇに侵入しにくくなることが抑えられる。
【００５４】
・孔１１は、突出縁部１１Ｂを１つのみ備えてもよい。この場合であっても、上述した（１）に準じた効果を得ることはできる。
・孔１１は、３つ以上の突出縁部１１Ｂを備えてもよい。この場合であっても、上述した（１）に準じた効果を得ることはできる。
【００５５】
［突出片］
・各突出片１２Ａ，１２Ｂにおいて、一方の角部１２ＡＣ，１２ＢＣのみが曲率を有してもよい。この場合であっても、曲率を有した角部１２ＡＣ，１２ＢＣでは、上述した（４）に準じた効果を得ることはできる。
【００５６】
・第１突出片１２Ａおよび第２突出片１２Ｂのいずれか一方のみにおいて、角部が曲率を有してもよい。すなわち、第１突出片１２Ａおよび第２突出片１２Ｂのいずれか一方が、突出片であってもよい。表面１０Ｆと対向する平面視において、突出片は、孔１１の内側に突出した２つの角部を含む矩形状を有し、角部の少なくとも一方は、曲率中心が突出片の内側に位置する曲率を有してもよい。この場合であっても、突出片における曲率を有した角部によれば、上述した（４）に準じた効果を得ることはできる。
【００５７】
・２つの突出片１２Ａ，１２Ｂのなかで、一方の突出片が、矩形状を有し、かつ、孔１１内に突出した２つの角部が曲率を有し、かつ、他方の突出片において、突出片を区画する突出縁部１１Ｂが、表面１０Ｆと対向する平面視において円弧状を有してもよい。この場合には、一方の突出片によって上述した（４）に準じた効果が得られ、かつ、他方の突出片によって上述した（５）に準じた効果が得られる。
【００５８】
［追従縁部］
・追従縁部１１Ａは、樹脂固定具２０の外形が有する略矩形状に追従した形状を有している。樹脂固定具２０、あるいは、シート体１０に取り付けられる他の物品の外形は、略矩形状以外の形状であってよい。この場合には、追従縁部１１Ａは、その外形が有する形状に追従する形状を有する。物品の外形は、例えば、円状または楕円状でもよいし、三角形状、四角形状、または、五角形状などでもよい。
【００５９】
［物品］
・シート体１０によって保持される物品は、樹脂固定具２０に限らない。物品は、例えば、容器本体と、蓋とから構成される容器でもよい。容器本体は、対象物を収容する空間を区画し、かつ、底部と開口とを有した筒状である。蓋部は、容器本体の開口を塞ぐ。容器は、容器本体と蓋との間に間隙を有する。また、物品は、特定の形状を有する物体と、物体の外周を覆う筒部とから構成されてもよい。物体は、例えば、板状を有してもよいし、柱状を有してもよい。こうした物品は、物体と筒部との間に間隙を有する。
【符号の説明】
【００６０】
１０…シート体、１０Ｆ…表面、１０Ｒ…裏面、１１…孔、１１Ａ…追従縁部、１１Ｂ…突出縁部、１１Ｂ１…第１突出縁部、１１Ｂ２…第２突出縁部、１２Ａ…第１突出片、１２ＡＣ，１２ＢＣ…角部、１２Ｂ…第２突出片、２０…樹脂固定具、２０Ｇ…間隙、２１…基体片、２１Ａ…爪受け部、２２…係止片、２３…ヒンジ部、３０…樹脂固定具付シート体。
【図１】
0003218067.tif 000003
【図２】
0003218067.tif 000004
【図３】
0003218067.tif 000005
【図４】
0003218067.tif 000006
【図５】
0003218067.tif 000007
【図６】
0003218067.tif 000008